(57)【要約】【課題】外部の録画機器が増設されたとしても、この外部の録画機器を内部の録画機器と同様な感覚で取り扱うことできるようにする。【解決手段】動作を統括する制御部と、放送信号を受信する受信部と、前記受信信号を復調及び信号処理し表示用信号に変換する復調及び信号処理部と、録画処理部と、内蔵の録画機器４１を有する装置において、さらに、外部の録画機器４１ａを接続する接続端子２１と、前記外部の録画機器を前記内蔵の録画機器の容量の拡張用機器として登録して管理する機器管理部５６ｇを有する。【選択図】      図１１
2006302451.tif 000002
【特許請求の範囲】
【請求項１】
動作を統括する制御部と、前記制御部の制御に基づいて、放送信号を受信する受信部と、前記受信信号を復調及び信号処理し表示用信号に変換する復調及び信号処理部と、操作入力に応じて前記表示用信号を記録媒体に記録処理する録画処理部とを有したテレビジョン放送受信装置において、
装置と一体の第１の録画機器と、
外部に第２の録画機器を接続する接続端子と、
前記第２の録画機器を前記第１の録画機器の容量の拡張用機器として登録して管理する機器管理部と、
を有したテレビジョン放送受信装置。
【請求項２】
前記機器管理部は、
操作入力に応じて、前記第２の録画機器が前記第１の録画機器と同じ機能を有するか否かを検出する機能チェック部と、
前記機能チェック部のチェック結果において、前記第２の録画機器と前記第１の録画機器とが同じ機能である場合は、前記第２の録画機器の登録処理を行う増設機器登録部と、
前記機能チェック部のチェック結果において、前記第２の録画機器と前記第１の録画機器との機能が不一致の場合、前記警告を行う警告処理部と、
を有する請求項１記載のテレビジョン放送受信装置。
【請求項３】
前記機能チェック部は、前記第１の録画機器が、ハードディスク装置であること、追っかけ再生機能を有すること、コピー及び移動機能を有することを判定することを特徴とする請求項２記載のテレビジョン放送受信装置。
【請求項４】
装置と一体の第１の録画機器及び動作を統括する制御部を有し、前記制御部の制御に基づいて、受信部により放送信号を受信し、復調及び信号処理部により受信信号を復調及び信号処理し表示用信号に変換し、録画処理部により、前記表示用信号を記録媒体に記録処理するテレビジョン放送受信方法において、
外部機器接続用の端子に接続されている外部の第２の録画機器が、前記第１の録画機器と同種の機種であるかどうかをチェックし、
該第２の録画機器が追っかけ再生機能を有するかどうかをチェックし、
該第２の録画機器がコピー及び移動機能を有するかどうかをチェックし、
前記第２の録画機器が、前記第１の録画機器と同種の機種で、追っかけ再生機能を有し、コピー及び移動機能を有する場合に前記第２の録画機器を増設機器として登録部に登録することを特徴とするテレビジョン放送受信方法。
【請求項５】
前記第２の録画機器が増設機器として登録部に登録された場合、
画面の一部の領域に増設機器があることを示すマークを表示することを特徴とする請求項４記載のテレビジョン放送受信方法。
【請求項６】
画面上に接続機器のリストを表示し、
増設用の機器として、前記第２の録画機器を選択したとき、この録画機器が録画動作中であるときは、画面に動作中であることのコメントを表示することを特徴とする請求項４記載のテレビジョン放送受信方法。
【請求項７】
画面上に録画済み番組の録画リストを表示したとき、
前記録画リストの表示領域とは異なる画面の一部の領域に、第２の録画機器が増設機器として登録されていることを示す識別表示を得ることを特徴とする請求項４記載のテレビジョン放送受信方法。
【請求項８】
画面の一部に、第２の録画機器が増設機器として登録されていることを示す識別表示を得るとともに、前記登録を解除するための解除ボタンを表示することを特徴とする請求項４記載のテレビジョン放送受信方法。
【請求項９】
前記第２の録画機器の残量が低減した際、前記第２の録画機器による録画に自動的に切換わることを特徴とする請求項４記載のテレビジョン放送受信方法。
【請求項１０】
装置と一体の第１の録画機器、動作を統括する制御部、前記制御部の制御に基づいて放送信号を受信する受信部、前記受信信号を復調及び信号処理し表示用信号に変換する復調及び信号処理部、操作入力に応じて前記表示用信号を記録媒体に記録処理する録画処理部、外部機器を接続するための接続端子を有したテレビジョン受信装置と、前記接続端子に接続された外部の第２の録画機器と、を含むテレビジョンシステムにおいて、
前記第２の録画機器は認証要求に応じて機器情報を返信する返信手段を有し、
前記テレビジョン受信装置は、前記機器情報を解析して、前記第２の録画機器が、前記第１の録画機器と同種の機種であること、追っかけ再生機能を有すること、コピー及び移動機能を有すること、確認した場合に前記第２の録画機器を増設機器として登録部に登録する手段を有すること特徴とするテレビジョン放送受信システム。
【発明の詳細な説明】
【技術分野】
【０００１】
この発明は、テレビジョン放送受信装置及びテレビジョン放送受信方法及びテレビジョンシステムに関するもので、特に録画装置の増設機能を改良したものである。
【背景技術】
【０００２】
近年、記録媒体としてのハードディスク、光ディスクなどの情報記録媒体は、その記憶容量が増大している。このために、これらの情報記録媒体を利用した記録再生装置を例えばテレビジョン受信機に接続し、所望の番組を記録媒体に自動録画する方法及び装置がある。
【０００３】
通常は、自動録画機能及び自動録画再生装置を実現するためには、電子番組案内（ＥＰＧ）情報を用いて番組録画予約情報が作成される。また、所望のジャンルを指定すると、自動的に電子番組案内情報から当該ジャンルに相当すると思われる番組をサーチして、録画予約情報を自動的に設定する装置も考えられている。そして、録画予約情報に基づいて、放送番組を受信し、内蔵されているハードディスク装置（ＨＤＤ）で録画する構成である。
【０００４】
しかしながら、上記のような録画機器を長期間使用した場合、ハードディスクの残量がなくなるために、既に記録されている番組を削除しなければならない。このような不具合を改善する策として、予め複数の外部の録画機器を接続しておき、内部のハードディスクに番組情報を記録できない場合は、外部の録画機器で継続して番組を録画する装置が開発されている（例えば特許文献１参照）
【特許文献１】特開２００３−２７２２９７公報
【発明の開示】
【発明が解決しようとする課題】
【０００５】
しかし、上述した従来の装置は、番組情報の録画を外部の録画機器で録画したとしても、外部の録画機器を、内部録画機器と同様にいままでと同様に取りあつかうことができない場合ある。例えば外部の録画機器がＤ−ＶＨＳであると、追っかけ再生は不可能となる。このために、ユーザにとっては、いままでの使用感覚を損なうことになる。
【０００６】
そこでこの発明では、外部の録画機器が増設されたとしても、この外部の録画機器を内部の録画機器と同様な感覚で取り扱うことできるようにしたテレビジョン放送受信装置及びテレビジョン放送受信方法及びシステムを提供することにある。
【課題を解決するための手段】
【０００７】
この発明の一実施の形態では、
動作を統括する制御部と、前記制御部の制御に基づいて、放送信号を受信する受信部と、前記受信信号を復調及び信号処理し表示用信号に変換する復調及び信号処理部と、操作入力に応じて前記表示用信号を記録媒体に記録処理する録画処理部とを有したテレビジョン放送受信装置において、一体となった第１の録画機器と、外部の第２の録画機器を接続する接続端子と、前記第２の録画機器を前記第１の録画機器の容量の拡張用機器として登録する増設機器登録部とを有する。
【発明の効果】
【０００８】
これにより、外部の第２の録画機器が使用されるようになっても、今までと変わらず内蔵の第１の録画機器が使用されている場合と同様な機能を得ることができ、ユーザの使用感を損なうことがない。
【発明を実施するための最良の形態】
【０００９】
以下、図面を参照しながらこの発明の実施の形態を説明する。まずこの発明が適用された放送受信装置について概要を説明する。
【００１０】
図１は、この実施の形態で説明するデジタルテレビジョン放送受信装置１１の外観と、このデジタルテレビジョン放送受信装置１１を中心として構成されるネットワークシステムの一例を概略的に示している。
【００１１】
デジタルテレビジョン放送受信装置１１は、薄型のキャビネット１２と、このキャビネット１２を起立させて支持する支持台１３とから構成されている。キャビネット１２には、例えば液晶表示パネル等でなる平面パネル型の映像表示器１４、スピーカ１５、操作部１６、リモートコントローラ１７から送信される操作情報を受ける受光部１８等が設置されている。
【００１２】
また、このデジタルテレビジョン放送受信装置１１には、例えばＳＤ（Secure Digital）メモリカード、ＭＭＣ（Multimedia Card）及びメモリスティック等の第１のメモリカード１９が着脱可能となっており、この第１のメモリカード１９に対して番組や写真等の情報の記録再生が行なわれるようになっている。
【００１３】
さらに、このデジタルテレビジョン放送受信装置１１には、例えば契約情報等の記録された第２のメモリカード（ＩＣカード）２０が着脱可能となっており、この第２のメモリカード２０に対して情報の記録再生が行なわれるようになっている。
【００１４】
また、このデジタルテレビジョン放送受信装置１１は、第１のＬＡＮ（Local Area Network）端子２１、第２のＬＡＮ端子２２、ＵＳＢ（Universal Serial Bus）端子２３及びｉ．Link端子２４を備えている。
【００１５】
このうち、第１のＬＡＮ端子２１は、ＬＡＮ対応ＨＤＤ専用ポートとして使用される。この第１のＬＡＮ端子２１に接続されたＮＡＳ（Network Attached Storage）であるＬＡＮ対応のＨＤＤ２５に対して、イーサネット（登録商標）により情報の記録再生を行なうために使用される。
【００１６】
このように、ＬＡＮ対応ＨＤＤ専用ポートとしての第１のＬＡＮ端子２１を設けることにより、他のネットワーク環境やネットワーク使用状況等に影響されることなく、ＨＤＤ２５に対してハイビジョン画質による番組の情報記録を安定して行なうことが可能となる。
【００１７】
また、第２のＬＡＮ端子２２は、イーサネット（登録商標）を用いた一般的なＬＡＮ対応ポートとして使用される。この第２のＬＡＮ端子２２は、例えばハブ２６を介して、ＬＡＮ対応のＨＤＤ２７、ＰＣ（Personal Computer）２８、ＨＤＤ内蔵のＤＶＤ（Digital Versatile Disk）レコーダ２９等の機器を接続し、これらの機器と情報伝送を行なうために使用される。
【００１８】
なお、ＤＶＤレコーダ２９については、第２のＬＡＮ端子２２を介して通信されるデジタル情報が制御系の情報であるため、デジタルテレビジョン放送受信装置１１との間でアナログの映像及び音声情報を伝送するために、専用のアナログ伝送路３０を設ける必要がある。
【００１９】
さらに、この第２のＬＡＮ端子２２は、ハブ２６に接続されたブロードバンドルータ３１を介して、例えばインターネット等のネットワーク３２に接続し、そのネットワーク３２を介してＰＣ３３や携帯電話３４等と情報伝送を行なうために使用される。
【００２０】
また、上記ＵＳＢ端子２３は、一般的なＵＳＢ対応ポートとして使用されるもので、例えばハブ３５を介して、携帯電話３６、デジタルカメラ３７、メモリカードに対するカードリーダ／ライタ３８、ＨＤＤ３９、キーボード４０等を接続し、これらの機器と情報伝送を行なうために使用される。
【００２１】
上記ｉ．Link（登録商標）端子２４は、例えばＡＶ−ＨＤＤ４１、Ｄ（Digital）−ＶＨＳ（Video Home System）４２等をシリアル接続し、これらの機器と情報伝送を行なうために使用される。
【００２２】
ここでｉ．Link端子２４に接続された、ＡＶ−ＨＤＤ４１は、図面ではデジタルテレビジョン放送受信装置１１の外に記載されているが、実際には支持台１３に内蔵されている。つまりＡＶ−ＨＤＤ４１は、デジタルテレビジョン放送受信装置１１と一体となっている。
【００２３】
図２には、上記のデジタルテレビジョン受信装置１１の概観を示している。ＡＶ−ＨＤＤ４１（内蔵の録画機器）は、支持台１３内に内蔵されている。
【００２４】
図３は、上記したデジタルテレビジョン放送受信装置１１の主要な信号処理系を示している。すなわち、ＢＳ／ＣＳデジタル放送受信用のアンテナ４３で受信した衛星デジタルテレビジョン放送信号は、入力端子４４を介して衛星デジタル放送用のチューナ４５に供給されることにより、所望のチャンネルの放送信号が選局される。
【００２５】
チューナ４５で選局された放送信号は、ＰＳＫ（Phase Shift Keying）復調器４６に供給されて、デジタルの映像信号及び音声信号に復調された後、信号処理部４７に出力される。
【００２６】
また地上波アナログ信号を受信するアナログチューナ６８も設けられている。アナログチューナ６８で受信された信号は、アナログ復調器６９で復調され信号処理部４７に出力される。
【００２７】
また、地上デジタル放送受信用のアンテナ４８で受信した地上デジタルテレビジョン放送信号は、入力端子４９を介して地上デジタル放送用のチューナ５０に供給されることにより、所望のチャンネルの放送信号が選局される。
【００２８】
チューナ５０で選局された放送信号は、ＯＦＤＭ（Orthogonal Frequency Division Multiplexing）復調器５１に供給されて、デジタルの映像信号及び音声信号に復調された後、上記信号処理部４７に出力される。
【００２９】
ここで、上記信号処理部４７は、ＰＳＫ復調器４６から供給されたデジタルの映像信号及び音声信号と、ＯＦＤＭ復調器５１から供給されたデジタルの映像信号及び音声信号と、アナログ復調器６９から供給された映像信号及び音声信号と、さらにライン入力端子からの映像信号及び音声信号とに対して、選択的に所定のデジタル信号処理を施し、グラフィック処理部５２及び音声処理部５３に出力している。
【００３０】
このうち、グラフィック処理部５２は、信号処理部４７から供給されるデジタルの映像信号に、ＯＳＤ（On Screen Display）信号生成部５４で生成されるＯＳＤ信号を重畳して出力する機能を有する。また、このグラフィック処理部５２は、信号処理部４７の出力映像信号と、ＯＳＤ信号生成部５４の出力ＯＳＤ信号とを選択的に出力すること、また、両出力をそれぞれ画面の半分を構成するように組み合わせて出力することができる。
【００３１】
グラフィック処理部５２から出力されたデジタルの映像信号は、映像処理部５５に供給される。この映像処理部５５は、入力されたデジタルの映像信号を、映像表示器１４で表示可能なフォーマットのアナログ映像信号に変換し、映像表示器１４に出力して映像表示させる。
【００３２】
上記音声処理部５３は、入力されたデジタルの音声信号を、スピーカ１５で再生可能なフォーマットのアナログ音声信号に変換し、スピーカ１５に出力して音声再生させる。
【００３３】
ここで、このデジタルテレビジョン放送受信装置１１は、上記した各種の受信動作を含むその全ての動作を制御部５６によって統括的に制御されている。
【００３４】
制御部５６は、ＣＰＵ（Central Processing Unit）等を内蔵している。操作部１６からの操作情報を受けたとき、または、リモートコントローラ１７から送出された操作情報を受光部１８を介して受信したとき、制御部５６は、その操作内容が装置に反映されるように各部をそれぞれ制御している。
【００３５】
この場合、制御部５６は、主として、そのＣＰＵが実行する制御プログラムを格納したＲＯＭ（Read Only Memory）５７と、該ＣＰＵに作業エリアを提供するＲＡＭ（Random Access Memory）５８と、各種の設定情報及び制御情報等が格納される不揮発性メモリ５９とを利用している。
【００３６】
制御部５６は、カードＩ／Ｆ（Interface）６０を介して、第１のメモリカード１９が装着可能なカードホルダ６１に接続されている。これによって、制御部５６は、カードホルダ６１に装着された第１のメモリカード１９と、カードＩ／Ｆ６０を介して情報伝送を行なうことができる。
【００３７】
制御部５６は、カードＩ／Ｆ６２を介して、第２のメモリカード２０が装着可能なカードホルダ６３に接続されている。これにより、制御部５６は、カードホルダ６３に装着された第２のメモリカード２０と、カードＩ／Ｆ６２を介して情報伝送を行なうことができる。
【００３８】
制御部５６は、通信Ｉ／Ｆ６４を介して第１のＬＡＮ端子２１に接続されている。これにより、制御部５６は、第１のＬＡＮ端子２１に接続されたＬＡＮ対応のＨＤＤ２５と、通信Ｉ／Ｆ６４を介して情報伝送を行なうことができる。この場合、制御部５６は、ＤＨＣＰ（Dynamic Host Configuration Protocol）サーバ機能を有し、第１のＬＡＮ端子２１に接続されたＬＡＮ対応のＨＤＤ２５にＩＰ（Internet Protocol）アドレスを割り当てて制御している。
【００３９】
制御部５６は、通信Ｉ／Ｆ６５を介して第２のＬＡＮ端子２２に接続されている。これにより、制御部５６は、第２のＬＡＮ端子２２に接続された各機器（図１参照）と、通信Ｉ／Ｆ６５を介して情報伝送を行なうことができる。
【００４０】
制御部５６は、ＵＳＢ Ｉ／Ｆ６６を介してＵＳＢ端子２３に接続されている。これにより、制御部５６は、ＵＳＢ端子２３に接続された各機器（図１参照）と、ＵＳＢ Ｉ／Ｆ６６を介して情報伝送を行なうことができる。
【００４１】
上記制御部５６は、ｉ．Link（登録商標） Ｉ／Ｆ６７を介してｉ．Link（登録商標）端子２４に接続されている。これにより、制御部５６は、ｉ．Link（登録商標）端子２４に接続された各機器（図１参照）と、ｉ．Link（登録商標）Ｉ／Ｆ６７を介して情報伝送を行なうことができる。
【００４２】
制御部５６は、録画番組を予め予約して記録媒体に記録するための予約番組録画制御部５６ａと、機器管理部５６ｇを有する。機器管理部５６ｇは、後述するように、増設機器登録部５６ｇ２を含み、この装置の特徴的な部分を構成している。この特徴部については、さらに後述することにする。
【００４３】
図４は、上記リモートコントローラ１７の外観を示している。このリモートコントローラ１７には、主として、電源キー１７ａ、入力切換キー１７ｂ、衛星デジタル放送チャンネルのダイレクト選局キー１７ｃ、地上波放送チャンネルのダイレクト選局キー１７ｄ、クイックキー１７ｅ、カーソルキー１７ｆ、決定キー１７ｇ、番組表キー１７ｈ、ページ切換キー１７ｉ、faceネット（ナビゲーション）キー１７ｊ、戻るキー１７ｋ、終了キー１７ｌ、青，赤，緑，黄のカラーキー１７ｍ、チャンネルアップダウンキー１７ｎ、音量調整キー１７ｏ等が設けられている。また今すぐニュースキー１７ｑ、ちょっとタイムキー１７ｑ、スキップキー１７ｒも設けられている。
【００４４】
図５は、このデジタルテレビジョン放送受信装置１１が、その端子２１〜２４に接続された各機器のうちのデジタル記録機器に番組を記録する動作を説明するフローチャートを示している。すなわち、番組の記録が要求されることにより処理が開始（ステップＳ１）されると、制御部５６は、ステップＳ２で、放送信号から取得したＥＰＧ（Electronic Program Guide）情報に基づいて、図６に示すような番組表を映像表示器１４に表示させる。
【００４５】
ユーザは、ステップＳ３で、表示された番組表に基づいて所望の番組の録画予約を実行する。この録画予約では、記録すべき番組を番組表から選択するとともに、その番組を記録させるデジタル記録機器を選択設定することも行なわれる。
【００４６】
そして、制御部５６は、ステップＳ４で、録画予約した設定時間に達した場合、予約された番組を予約されたデジタル記録機器に記録するように、記録動作を実行する。
【００４７】
その後、制御部５６は、ステップＳ５で、番組記録動作が正常に完了したか否かを判別し、正常に完了したと判断された場合（ＹＥＳ）、ステップＳ６で、記録を行なったデジタル記録機器を特定するための機器情報（機器ＩＤ、機器名、共有フォルダ名等）と、その記録番組に関するイベント情報（イベントＩＤ、チャンネル番号、タイトル、内容説明、ジャンル、記録範囲、画質モード等）とを前記不揮発性メモリ５９に記録し、処理を終了（ステップＳ７）する。
【００４８】
また、ステップＳ５で番組記録動作が正常に完了しなかったと判断された場合（ＮＯ）、制御部５６は、ステップＳ８で、番組記録動作が正常に完了しなかった旨のメッセージを映像表示器１４に表示させて、処理を終了（ステップＳ７）する。
【００４９】
以上の記録動作により、ユーザは、デジタルテレビジョン放送受信装置１１の各端子２１〜２４に接続されている複数のデジタル記録機器を任意に選択して、番組を記録させていくことが可能になる。
【００５０】
図７は、上記のようにして、複数のデジタル記録機器に記録された種々の番組の中から、所望の番組を迅速に検索して再生する動作を説明するためのフローチャートを示している。すなわち、処理が開始（ステップＳ９）されると、ユーザは、ステップＳ１０で、リモートコントローラ１７のfaceネットキー１７ｊを操作する。
【００５１】
すると、制御部５６は、ステップＳ１１で、faceネット（ナビゲーション）を起動させ、図８に示すようなナビゲーションメニューを映像表示器１４に表示させる。このナビゲーションメニューでは、「テレビ」、「録画番組」、「写真」、「インターネット」、「Ｅメール」の５つの項目が選択可能に設けられる。選択された項目は、画面上では他の項目と色を変えて表示されるが、図８では、「テレビ」が選択された状態をハッチングにより示している。
【００５２】
ここで、ユーザは、ステップＳ１２で、リモートコントローラ１７のカーソルキー１７ｆを操作して「録画番組」の項目を選択する。すると、制御部５６は、図９にハッチングで示すように、「録画番組」の項目を選択した状態となる。
【００５３】
この状態で、ユーザが、ステップＳ１３で、リモートコントローラ１７の決定キー１７ｇを操作すると、制御部５６は、図１０に示すように、最近録画した番組の一覧を映像表示器１４に表示させる。この番組一覧では、記録されている番組を示す情報として、タイトル、放送チャンネル、記録日時、曜日、時間、ジャンル等が表示されている。
【００５４】
この最近録画した番組の一覧は、図５で説明した番組の予約記録時に不揮発性メモリ５９に記録された、記録を行なったデジタル記録機器を特定する機器情報と記録番組に関するイベント情報とを参照することで作成される。この最近録画した番組の一覧では、記録したデジタル記録機器を問わず、最新の記録番組から溯って最大で３５個の番組を示す情報を一覧表示することが可能である。図１０では、７つの番組が一覧表示されているが、カーソルキー１７ｆを操作することにより表示をスクロールさせて３５個の番組一覧を見ることが可能である。また、リモートコントローラ１７のページ切換キー１７ｉを操作すれば、一覧表示されている７つの番組を一気にスキップさせることが可能である。
【００５５】
そして、ユーザが、ステップＳ１４で、最近録画した番組の一覧から、リモートコントローラ１７のカーソルキー１７ｆを操作して所望の番組を示す情報を選択し、決定キー１７ｇを操作して決定すると、制御部５６は、ステップＳ１５で、不揮発性メモリ５９に記録された情報から、その選択決定された番組が記録されているデジタル記録機器を特定し、その番組が再生可能であるか否かを判別する。
【００５６】
この判別は、例えば、デジタルテレビジョン放送受信装置１１と再生要求された番組を記録しているデジタル記録機器とが接続されているか否か、再生要求された番組を記録しているデジタル記録機器の電源が投入されているか否か、対象となるデジタル記録機器にその番組がまだ記録されているか否か等々、記録時と再生時とにおける諸条件を総合的に比較して再生可能か否かを判別する。
【００５７】
そして、上記ステップＳ１５で再生可能であると判断された場合（ＹＥＳ）、制御部５６は、ステップＳ１６で、対象となるデジタル記録機器から再生要求された番組の情報を読み出し、再生するように制御して、処理を終了（ステップＳ１７）する。
【００５８】
また、上記ステップＳ１５で再生可能でないと判断された場合（ＮＯ）、制御部５６は、ステップＳ１８で、要求された番組の再生が不可能である旨のメッセージを映像表示器１４に表示させて、処理を終了（ステップＳ１７）する。
【００５９】
上記した再生動作によれば、記録したデジタル記録機器を問わず、最新の記録番組から溯って最大で３５個の記録された番組を一覧表示するナビゲーション機能を持つようにしたので、複数のデジタル記録機器に記録されている番組をユーザが容易に管理することが可能となる。このため、一覧表示された番組から所望の番組をカーソルキー１７ｆで選択し決定キー１７ｇで決定することにより、迅速に検索して再生することが可能となる。
【００６０】
なお、複数のデジタル記録機器に記録した番組を全て一覧表示することは、接続されるデジタル記録機器の増加や、記録した番組数の増加を考慮すると、実用的でなくなる。この実施の形態のように、最新の記録番組から溯って最大で３５個程度までの番組を一覧表示することが、ユーザにとって実質的な支障の生じ難い実用に適した設定となる。
【００６１】
図１１は、この装置の特徴を説明するために制御部５６をさらに詳しく示す図である。
【００６２】
機器管理部５６ｇ内には、さらに、接続機器登録部５６ｇ０、接続機器の機能をチェックする機能チェック部５６ｇ１が設けられている。さらに増設機器登録部５６ｇ２が設けられている。この増設機器登録部５６ｇ２は、さきの接続機器登録部５６ｇ０とは、その登録条件が異なる。接続機器登録部５６ｇ０は、デジタルテレビジョン受信装置１１に接続されている機器を全て登録する箇所である。これに対して、増設機器登録部５６ｇ２は、内蔵のＡＶ−ＨＤＤ４１と同じ機能を有する外部の録画機器（ＨＤＤ４１）を登録する箇所である。したがって、外部の録画機器４１ａは、ユーザの操作によりスタートするソフトウエアにより、意識的にその機能がチェックされ、所定の条件が満足された場合にその機器ＩＤなどが増設機器登録部５６ｇ２に登録される。
【００６３】
さらに複数の録画機器のうちの第１の録画機器に記録されているコンテンツを選択し、第２の録画機器への移動を指定する移動指定制御部５６ｇ３、移動を実行する移動実行制御部５６ｇ４が設けられている。また、警告処理部５６ｇ７を有する。さらにまた、コピー元の録画機器とコピーするコンテンツを指定するとともに、コピー先の録画機器を指定するコピー指定制御部５６ｇ５、コピー実行制御部５６ｇ６を有する。さらに操作入力判別部５６ｄも含まれている。操作入力判別部５６ｄは、操作入力のコマンドを解析し、各部の動作開始に寄与する。
【００６４】
図１２には、例えばハードディスク装置４１ａを、内部の録画装置（ＡＶ−ＨＤＤ４１）の拡張容量として登録する際の動作例をフローチャートで示している。外部機器を内蔵機器として登録する場合には、例えば、メニュー画面から選択する。メニュー画面では、例えば「外部機器を内部機器として登録」というような項目が現れる。ユーザは、この項目をカーソルで選択し、決定キーを押すと、接続機器のチェックが始まり、接続機器のリスト（或いは接続機器登録部５６ｇ０で管理されている接続機器のリスト）が画面に表示される。
【００６５】
接続されている機器リストから機器選択が行われると、機器が接続されているかどうかのチェックが行われてから表示される（ステップＳＡ１）。通常は、過去使用された機器の電源がオフされていると、機器リストのなかで該当機器の領域がグレイ表示される場合もある。
【００６６】
機器の接続がない場合には、映像表示器１４にて、ユーザに機器の接続を促すワーニングが行われる（ステップＳＡ２）。機器が接続されている場合、当該機器の電源がオンであるかどうかのチェックが行われ（ステップＳＡ３）、電源がオフで有った場合は、電源をオンにする（ステップＳＡ４）。電源がオンになると、機種がＡＶ−ＨＤＤであるかどうか、つまり受信装置と一体になっているＡＶ−ＨＤＤ４１と同じ機種であるかのチェックが行われる（ステップＳＡ５）。機種が異なる場合には、映像表示器１４にて設定不可能である旨のワーニング表示を行う（ステップＳＡ６）。
【００６７】
上記のステップＳＡ５で、機種が同じであることの判定が得られた場合、その設定しようとしている機種が、追っかけ再生機能を有するかどうかのチェックが行われる（ステップＳＡ７）。このシステムでは、受信装置と一体になっているＡＶ−ＨＤＤ４１が必ず追っかけ再生機能を有するので、設定しようとするＡＶ−ＨＤＤ４１ａも必ず追っかけ再生機能を装備する必要がある。ＡＶ−ＨＤＤ４１ａが追っかけ再生機能を装備しなかった場合は、映像表示器１４にて設定不可能である旨のワーニング表示を行う（ステップＳＡ８）。
【００６８】
追っかけ再生機能は、例えば予約番組の録画の途中であっても、再生操作を行うと録画済みの部分を順次追いかけて再生する機能である。
【００６９】
ステップＳＡ７でＡＶ−ＨＤＤ４１ａは，追っかけ再生が可能であることが判明した場合、コピー及び移動機能を有するかどうかのチェックが行われる（ステップＳＡ９）。コピー及び移動機能を有しない場合は、映像表示器１４にてコピー及び移動が不可能である旨のワーニング表示を行う（ステップＳＡ１０）。
【００７０】
ＡＶ−ＨＤＤ４１ａは、コピー及び移動機能が可能であることが判明すると、ループ録画が可能であるかどうかの判定が行われる。ループ録画は、一定の記録エリアが設定された中で、サイクリックに録画を行う機能である。この記録エリアに対しても追っかけ再生は可能である。ループ録画機能が付いていない場合には、ユーザにループ録画再生が不可能であることを確認させるワーニング表示を行う。ループ録画が可能である場合には、当該機器（この場合はＡＶ−ＨＤＤ４１ａ）の登録を完了する。上記した工程において、登録しようとする機器の機能を確認する場合には、ｉ．Ｌｉｎｋを介して、テレビジョン受信装置本体と、機器相互間で認証処理及び確認処理が行われる。したがって外部の録画機器は、要求が有った場合にはステイタスなどの機器情報を返信する返信機能を有することは当然である。
【００７１】
なおこの実施形態場合、増設した機器を設定するのであるが、必ずしもループ録画機能を必須の要件とする必要はない。
【００７２】
図１３は、例えばＡＶＨＤＤ４１ａが増設され、設定登録されたときの画面の例を示している。「外部機器の内蔵登録設定」というタイトルがついた画面１３０が現れ、この画面にもともと内蔵されているＨＤＤの機器名１３１と、増設されたＨＤＤの機器名１３２が表示される。さらにまた、ｉ．Ｌｉｎｋ端子２４に接続されている他の機器１３４もリストアップされて表示される。
【００７３】
図１４は、上記のように外部機器を内蔵機器と同格になるように登録設定威容とした場合、設定しようとする機器が動作中であった場合の画面の例を示す。この場合は、動作中であることのマーク１３５が現れる。このときは、設定登録することができないので、「増設解除」ボタン１３６にカーソルを合わせて、決定キーを操作することで、増設を解除することができる。
【００７４】
図１５は、機器が増設された後に、録画リスト（画面の右側）を画面上に表示した例を示している。また、画面の左側には、録画済の例えば今すぐニュースという番組をプレビューしている様子を示している。この場合、画面には、部分表示領域１５１，１５２において、内蔵ＨＤＤと増設ＨＤＤがあることが表示される。また、またプレビュー画面１５３においてプレビューされている映像は、どちらのＨＤＤの再生映像であるかどうかが分かるように、表示領域１５１、１５２の識別マークの色が異なるようにしてもよい。さらには、どちらかの表示領域１５１、１５２のマークが点滅してもよい。
【００７５】
またこの装置は、内部の録画機器の残量が低減した際、外部の録画機器への録画に自動的に切換わる機能を有する。
【００７６】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００７７】
【図１】この発明が適用されたデジタルテレビジョン放送受信システムの概要を説明するために示した図である。
【図２】図１のデジタルテレビジョン放送受信装置の概観を示す図である。
【図３】図１のデジタルテレビジョン放送受信装置の内部をさらに具体的に示す構成説明図である。
【図４】この発明の装置で使用されるリモートコントローラの概略を説明するために示した説明図である。
【図５】図１の装置がＥＰＧ情報に基づいて番組を記録する際の動作を説明するために示したフローチャートである。
【図６】図１の装置において映像表示器に番組情報が表示された際の例を示す説明図である。
【図７】同実施の形態におけるデジタルテレビジョン放送受信装置がデジタル記録機器から番組を再生する動作を説明するために示すフローチャートである。
【図８】同実施の形態におけるデジタルテレビジョン放送受信装置の再生動作時に表示されるナビゲーションメニューの一例を説明するために示す図である。
【図９】同実施の形態におけるナビゲーションメニューから録画番組の項目を選択した状態を説明するために示す図である。
【図１０】同実施の形態におけるナビゲーションメニューから得られる最近録画した番組の一覧表示画面の一例を説明するために示す図である。
【図１１】この発明の一実施の形態における特徴部の構成例を示す図である。
【図１２】この発明の一実施の形態における特徴部の動作例を説明するために示すフローチャートである。
【図１３】この発明の一実施の形態において、増設機器が登録された直後の画面の例を示す説明図である。
【図１４】この発明の一実施の形態において、増設機器が登録された直後の他の画面の例を示す説明図である。
【図１５】この発明の一実施の形態において、増設機器が活用されているときの様子を示す画面の例を示す説明図である。
【符号の説明】
【００７８】
１１…デジタルテレビジョン放送受信装置、１２…キャビネット、１３…支持台、１４…映像表示器、１５…スピーカ、１６…操作部、１７…リモートコントローラ、１８…受光部、１９…第１のメモリカード、２０…第２のメモリカード、２１…第１のＬＡＮ端子、２２…第２のＬＡＮ端子、２３…ＵＳＢ端子、２４…ｉ．Link端子、２５…ＨＤＤ、２６…ハブ、２７…ＨＤＤ、２８…ＰＣ、２９…ＤＶＤレコーダ、３０…アナログ伝送路、３１…ブロードバンドルータ、３２…ネットワーク、３３…ＰＣ、３４…携帯電話、３５…ハブ、３６…携帯電話、３７…デジタルカメラ、３８…カードリーダ／ライタ、３９…ＨＤＤ、４０…キーボード、４１…ＡＶ−ＨＤＤ、４２…Ｄ−ＶＨＳ、４３…アンテナ、４４…入力端子、４５…チューナ、４６…ＰＳＫ復調器、４７…信号処理部、４８…アンテナ、４９…入力端子、５０…チューナ、５１…ＯＦＤＭ復調器、５２…グラフィック処理部、５３…音声処理部、５４…ＯＳＤ信号生成部、５５…映像処理部、５６…制御部、５７…ＲＯＭ、５８…ＲＡＭ、５９…不揮発性メモリ、６０…カードＩ／Ｆ、６１…カードホルダ、６２…カードＩ／Ｆ、６３…カードホルダ、６４…通信Ｉ／Ｆ、６５…通信Ｉ／Ｆ、６６…ＵＳＢ Ｉ／Ｆ、６７…ｉ．Link（登録商標） Ｉ／Ｆ。
【図１】
2006302451.tif 000003
【図２】
2006302451.tif 000004
【図３】
2006302451.tif 000005
【図４】
2006302451.tif 000006
【図５】
2006302451.tif 000007
【図６】
2006302451.tif 000008
【図７】
2006302451.tif 000009
【図８】
2006302451.tif 000010
【図９】
2006302451.tif 000011
【図１０】
2006302451.tif 000012
【図１１】
2006302451.tif 000013
【図１２】
2006302451.tif 000014
【図１３】
2006302451.tif 000015
【図１４】
2006302451.tif 000016
【図１５】
2006302451.tif 000017